(57)【要約】【課題】イオン化したフルボ酸鉄とミネラルイオンを放出させて、植物栽培に病害虫を抑制する、磯焼けをくい止め水産業の事業に役立つ、天然フミンと鉄（粉又は粒）や鉄分を含むミネラル成分と硬化剤の混合物を水和硬化したブロック、粉体、粒体を提供すること。【解決手段】  天然フミンと鉄（粉又は粒）や鉄を含むミネラル成分と硬化剤の混合物を水和硬化した粉体、粒体を耕作地に使用することや、成型したブロック、粒体を水域に水没設置することで、フルボ酸鉄とミネラルイオンを長期間放出し多種のミネラルイオンが豊富な陸域、海域になる、また、前記の水和硬化するときに種子や肥料と微生物を加えた粉体、粒体、ブロックは、農業や養殖に使用できる。【選択図】なし【特許請求の範囲】
【請求項１】
天然フミンと鉄（粉又は粒）、鉄分を含むミネラル成分と硬化剤からなることを特徴とする混合物。
【請求項２】
請求項１の記載の混合物を固めてなることを特徴とするブロック、紛体、粒体状の固化物。
【請求項３】
発酵菌を混合してなることを特徴とする請求項２に記載された固化物。
【請求項４】
請求項２に記載された固化物とブロック、紛体、粒体と発酵した菌床残渣等を混合してなることを特徴とする培養土又は堆肥
【請求項５】
請求項１の記載の混合物を固めてなることを特徴とする造粒コーテンィグ種子
【発明の詳細な説明】
【発明の詳細な説明】
【技術分野】
【０００１】  本発明は、水域や陸域において、植物が鉄分を容易に摂取できるようにするのに有益な混合物、固化物、培養土、造粒コーティング種子に関する。
【背景技術】
【０００２】  水域の植物、陸域の植物を問わず、植物にとって鉄イオンやミネラルイオンは生育に不可欠な元素である。特に鉄、亜鉛、カルシウムやマグネシウムが欠乏すると生育不良や根、葉の異常などの問題を生じる。鉄は、二価鉄イオンやフルボ酸鉄として植物に取り込まれる。近年、沿岸海域において海藻、海草や植物プランクトンの生育が低下し、問題視されているが、この問題も、海藻、海草や植物プランクトンが利用可能な溶解性鉄、ミネラルイオンの不足が一因と考えられている。沿岸海域では鉄の濃度自体は高いが、海水中では鉄は容易に酸化されて３価の鉄になって不溶化するため、海藻、海草や植物プランクトンが摂取できない。【０００３】  このような問題を解決し、鉄分とミネラル成分を海藻、海草や植物プランクトンが容易に摂取できるような形態で水中に供給する方法として、例えば、特許文献１には、有機酸鉄、フルボ酸鉄を含有する農林水産廃棄物および腐植土を含むコンクリート製の多孔質人工礁を水中に設置し、この人工礁から有機酸鉄を水中に供給する方法が示されている。また、特許文献２，３には、鉄鋼スラグと木質系腐植物や水産廃棄物を混合したものを透水性の袋体などに充填して、これを水中に設置し、鉄鋼スラグ中の鉄分と木質系腐植物等に含まれるフルボ酸とが結合したフルボ酸鉄を水中に供給する。また、特許文献４には、鉄鋼スラグ等にグルコン酸、グルタミン酸の有機酸を添加して、陸域、海域に散布、設置する方法が示されている。【０００４】  一方、農耕作物などの陸域の植物についても、安定した生育のためには、微量の鉄分や各種ミネラルが摂取されることが必要である。特にアルカリ土壌は鉄イオンが溶出しにくい環境であるため、鉄分の欠乏が生じやすい。【０００５】  一方、水稲の農法は、播種・苗、田植えの工程を経るが、育苗代の負担、或いは田植えの負担が過大であり、従事者の過剰労働とコストＵＰを引起こしている。造粒コーティング種モミは、鉄粉と、鉄の酸化を促す焼石膏でコーティングしていき、湿らせた種モミを回転しながら、コーティング材（鉄＋焼石膏）を２〜３回に分け入れて、造粒コーティング種モミを乾燥させ完成する。
または、酸素を供給する過酸化カルシウム剤（商品名カルパー）とコーティング剤（鉄＋焼石膏）や三価鉄と三酸化モリブデンでコーティングした、種モミが考案されている。【０００６】  但し、水稲のコーティング種子は、資材費やコーティングの手間がかかるので、鉄被膜（鉄粉コーティング）など、より低コストで省力な技術が求められている。
酸化カルシウムや鉄の被覆で、資材を固着させるために用いる石膏には硫化イオンが含まれている。酸素不足の状態で生成する硫化物イオン（秋落ち）も苗立ちを阻害している。水稲直播では種子近傍のみが強く還元され、硫化物イオンが局所的に生成される。したがって、石膏を用いると硫化物イオンの生成を促進するおそれがある。【０００７】  海域では牡蠣棚で海水の浄化のために海草（アマモ・ウミヒルモ等）を海中に種子をまいた里海つくりが行われている。しかし，潮の流れで、海草種子が目的の場所に定着し発芽することが困難である。
【先行技術文献】
【特許文献】
【０００８】
【特許文献１】特開２００１−６１３６８号公報
【特許文献２】特開２００５−３４１４０号広報
【特許文献３】特開２００６−３４５７３８号公報
【特許文献４】特開２０１１−１６０７６４号公報
【発明の概要】
【発明が解決しようとする課題】
【０００９】  現代農業栽培は、広葉樹や落葉樹の腐葉土の使用減少や化学肥料の多用で各種ミネラル分の微量要素が不足し、有用菌の減少で病害虫に作物が侵されやすくなり農薬の使用が必要になっている。【００１０】  耕作地は、病害虫に対して、過度の土壌消毒が行なわれ、微生物バランスの崩壊と各種ミネラル成分の不足と土壌の酸性化の影響で線中の繁殖増大が進むなか、土壌消毒に頼らない栽培方法が強く求められている。【００１１】  又、水産業では、森林から流れでるミネラルや有機物が水域を豊かに保つ役割を担っている。そのため、個人、団体、公共で植林事業を行われているが、長年の時間と莫大な資金が必要となる。しかし、環境問題と水産業を考えると、今では植林が最良な手段である。欧州では、森林は、海の母である。との諺がある。【００１２】  特許文献１〜３の技術では腐植物や水産廃棄物などの資材を必要とするが、これらの資材を大量に安定して入手することは困難であり、したがって、汎用的な利用は難しく、また、湖沼や海域などの広い水域に適用することも難しい。また、これらの方法は、陸域の微生物を高濃度で水域に持ち込むことになるので、生態系への影響という面からも好ましいものではない。【００１３】特許文献４に記載された手法では、鉄分を含む物質とグルコン酸、グルタミン酸の有機酸を加工、添加した硬化物を陸域、水域に散布、設置する。前記の硬化物は、セメント硬化剤の加工物で、水溶解しないため陸域に散布することには不向きである。また、グルコ酸、グルタミン酸を製造することが必要になる。【００１４】  したがって本発明の目的は、水域、陸域を問わず、植物が容易に摂取できる溶解性鉄イオンと各種ミネラルイオンを長期間にわたって安定して供給することができ、アルカリ環境や酸性土壌においても同効果を得ることができる鉄イオンと各種ミネラルイオン供給材料を提供することにある。【００１５】  本発明の他の目的は、鉄イオンと各種ミネラル供給材料を安定して製造することができる鉄イオンと各種ミネラルイオン供給材料としての混合物あるいは固化物それを用いた培養土と造粒コーティング種子を提供することである。更に、本発明の他の課題は、水稲栽培において、硫化イオンによる酸素不足や秋おち等水稲の生育を妨げる現象を抑え、健全に生育することを提供することである。また、他の種利用の農法においても各種キレート化したミネラルを溶出させて、種が成長する過程でミネラルを吸収するという天然フミンと鉄粉を提供する。
【課題を解決するための手段】
【００１６】  本発明は、天然フミンと鉄（粉又は粒）、鉄分を含むミネラル成分と硬化剤からなることを特徴とする混合物である。【００１７】  天然フミンと鉄（粉又は粒）、鉄分を含むミネラル成分と硬化剤の混合物をブロックや粒又は粉に水和硬化した固化物である。【００１８】  天然フミンと鉄（粉又は粒）、鉄分を含むミネラル成分と硬化剤及び発酵菌を混合して、水和硬化した固化物である。【００１９】  天然フミンと鉄（粉又は粒）、鉄分を含むミネラル成分と硬化剤で水和硬化した固化物に発酵した菌床残渣等を加えた培養土又は堆肥。【００２０】  種子を天然フミンと鉄（粉又は粒）、鉄分を含むミネラル成分と硬化剤で水和硬化した造粒コーティング種子。
【発明の効果】
【００２１】  陸域に天然フミンと鉄（粉又は粒）や鉄分を含むミネラル成分と硬化剤で水和硬化した紛体、粉体を耕作地に散布する。海域では、天然フミンと鉄や鉄分を大量に含むミネラル成分と硬化剤を水和硬化したブロック又は粒体を水中に埋没させて、フルボ酸鉄や微量のミネラルイオンを放出し、その結果海藻、海草や植物プランクトンが増殖する。【００２２】  天然フミンと鉄（粉又は粒）や鉄分を含むミネラル成分と肥料、微生物を加えた混合物を硬化剤で水和硬化したブロック、粉体、粒体状の固化物は各種ミネラル成分を長期間放出できる。また、水田の入水口に上記の固化物を設置することで、キレート化された各ミネラル水が水田に貯水され、その後河川に流れ海にたどりつく。畑では、上記の固化物をタンクに入れ水で満たして、キレート化したミネラル水溶液を葉面散布や土壌に灌水・灌注、また、水耕栽培のミネラル補強等に使用することもできる。【００２３】  上記固化物を多孔質に加工して、微生物を多孔に繁殖させた固化物を養殖場や水槽に設置することで、各種ミネラルイオンの溶解と微生物の活動で、ミネラルイオン豊富な海水や淡水と水の浄化がおこなわれる。
更に、上記固化物どちらか一方と、発酵した菌床残渣と培養土を混合したブロックに苗を植えて、耕作地に定植することで、各種ミネラルイオンと腐植土、微生物が豊富な土壌になる。【００２４】  硫化イオンを含まないコーティング資材は、鉄粒、鉄鋼スラグ（商品名ミネカル）、天然フミンとリグニン硬化剤（腐植）がある。天然フミンに含まれる有機酸であるフルボ酸は、植物が吸収しやすくするために酸化ミネラルをキレート化する、鉄鋼スラグ（商品に含まれる三価鉄（Ｆｅ２Ｏ３→Ｆｅ（ＯＨ）２）また、メタケイ酸カルシウム（ＣａＳＩＯ３）＋Ｈ２Ｏ３＋Ｈ２Ｏ→Ｓｉ（ＯＨ）４＋ＣａＣＯ３なり、農産物が吸収しやすい低分子量の水溶性正珪酸に変化する。
（特許番号４４４９０３０）
カルシウムとケイ酸に及び、ク溶性の苦土・マンガン・リン酸・ホウ素等を水溶性また、キレート化に伴い酸素を放出させるミネラルもある。更に生育に有効な無機肥料（鶏糞燃灰）やエンドファイト等の微生物資材（商品名セル苗元気）等を加えて、多種の造粒コーティング種子を造ることができる。【００２５】  天然フミンと鉄（粉又は粒）や鉄分を含むミネラル成分とリグニン硬化剤あるいはセメント硬化剤で水和硬化したブロック、粉体、粒体は、土壌、水中にフルボ酸鉄とミネラルイオンを長期にわたって安定的に供給するという機能が特に高く、土壌がアルカリ及び酸性環境であっても、そのような機能を発揮できる、また、天然フミンを使用することにより、特に、鉄源として鉄鋼スラグを用いる場合や、鉄イオン供給材料をアルカリ土壌や酸性土壌の環境であっても使用する場合でも材料の設置初期の段階から長期間持続的にフルボ酸鉄を生成させ、フルボ酸鉄を土壌や水中に供給することができる。また、粒状の天然フミンを配合することにより、溶出性が適度に抑制され、上記と同等程度の溶出持続性が得られることも可能である。【００２６】  天然フミンと鉄（粉又は粒）や鉄鋼スラグとリグニン硬化剤でコーティングした水稲種子や種利用農法は、天然フミン（フルボ酸）で、鉄（粉又は粒）や鉄鋼スラグに含まれる各種のミネラルをフルボ酸鉄やキレートされたケイ素、苦土、マンガン、リン酸、ホウ素等のミネラルを溶出して、根から吸収されて、強健な苗になる。
【発明を実施するための形態】
【００２７】（天然フミン）
天然フミンは、腐植質とも言う北半球に太古の昔地球上の生い茂っていた植物群が、地殻変動などで地中に埋もれ、何百万年から何千年もの時を経て炭化する過程でうまれた鉱脈である。カナダ、米国から鉱石として、流通している。この鉱石が最も炭化が進んだものは、亜炭から石炭となり、炭化過程の未熟の物質は草炭や泥炭である。その炭化途中に、特徴的な物質を多く含んだフミンの地層がある。フミンは、石炭には含まれず、亜炭や泥炭の含有量が極わずかである。
【００２８】  天然フミンは、フミン酸、フルボ酸、ウーミック酸の高分子電解質の有機酸があり、多価の原子価の微量金属元素との錯体性能が高い。フルボ酸やフミン酸と強い絆で結ばれた鉄は、河川を通して、あるいは海岸まで森林が迫っている場合には、森林地帯から直接、海に流れ込んでいる。（文献  森が消えれば海も死ぬ  第２版７６ページ  松永勝彦著講談社参照）
森林からは、フルボ酸鉄や各種ミネラルイオンを水域にキャリヤーとして作用するため、海域生物生産に重要な役割をしている。
【００２９】  天然フミン内の有機酸は、フミン酸７０％前後を含み、その内１０パーセント前後がフルボ酸（ＰＨ４前後）と微量のウーミックを含む天然フミンの物質である。本発明では、天然フミンを微粉、粉体、粒体にして使用する。また、ク溶性のミネラルは、根酸、クエン酸・グルタミン酸・グルコン酸やフルボ酸等の有機酸で可溶する。
【００３０】（鉄分を含むミネラル成分）
鉄分を含むミネラル成分としては、鉄鋼スラグ、貝化石、石英斑岩、蛭石、珪酸塩白土などが好適に利用できる。鉄鋼スラグは、製鉄所の副産物で鉄分を多く含む、また、農業用にも加工されたもの（商品名ミネカルなど）や鉄粉（商品名べんがら）がある、ミネカルの成分は、三価鉄分、メタケイ酸カルシウムが主体で、ク溶性苦土、ク溶性マンガン、ク溶性リン酸、ク溶性ホウ素等が微量に含まれる。
【００３１】  使用する貝化石（商品名シェルカン・ネオなど）は、数百万年に地殻変動が起こって海底が陸地に変貌し、海底時代に棲息していたカキ貝を中心に他の魚介類、海藻類、プランクトンなどがそのまま土中に閉息、腐食し化石化した鉱石であり、岩手県で採掘している。成分は、ケイ素、カルシウムが主で、鉄、マンガン、苦土、リン酸、カリ、ホウ素、カリ、ヨウ素、酸化アルミニウムを微量に含む。
【００３２】  石英斑岩は、地殻を構成する一般的な造岩鉱物で、火成岩、変成岩、堆積岩に含まれ、長野県、岐阜県で多く産出する。成分は、ケイ素が主体でアルミナ、鉄、カルシウム、マグネシウム、ナトリウム、カリウム、チタンが微量に含まれる。特にケイ素が溶解し根から吸収された稲作や野菜の茎を強靭にする。
【００３３】  蛭石は、黒雲母が風化して水分を含んだ鉱物で、急に熱するとヒルのように伸長する。農業用（商品名バーミキュライトなど）として使用されている。成分は、鉄、マグネシウム、ナトリウム、マンガン、カリウム、亜鉛、銅、アルミニウ、ケイ素、チタン、フッ素、ヨウ素、硫黄、リン酸その他、パナジウム等の多数のミネラルを含むみ、福島県で多く産出する。
【００３４】  珪酸塩白土は、秋田県の八沢木地域のみで採掘される天然地質物で、植林、農業用（商品名ソフトシリカなど）として使用されている。成分は、珪酸、アルミニウム、鉄、ナトリウム、カルシウム、マグネシウム等１６種のミネラルが含まれている。その他、鶏糞灰も無機肥料で植物に必要なリン酸、カルシウム、カリウム等が多く安価である。以上の鉄分やミネラル成分を含む物質や無機肥料は、安価で流通して、購入しやすい。
【００３５】（硬化剤）
本発明で使用される硬化剤は、代表的にはリグニン硬化剤あるいはセメント硬化剤が使用される。リグニン硬化剤（商品名リグノスーパーＤなど）主成分が製紙製造の副産物のリグニン主体で、鉄（粉又は粒）、鉄鋼スラグ、鉄分を含むミネラル物質等とフミン鉱物の混合物総重量の１〜５％と同量の１〜３％のフルボ酸水溶液を混合して、水和硬化した粒体を耕作地に散布する。少量でよく水和硬化するので、リグニン使用量は非常に少なくてすむ。そして、リグニンは、ゆっくりと生分解してやがて土と一体化する。
【００３６】  セメント硬化剤は、一般に流通している。硬化剤として一番簡単に購入ができる。そのほか製紙スラッジ焼却灰を主原料として、石炭灰を処理した副資材をこれに混合して製造した硬化剤（商品名アゴクリーンなど）もある。成分は、カルシウム、ケイ素、アルミニウム、硫黄、鉄、マグネシウム、チタン、カリウムその他の成分が含まれる。水域（湾、磯、河川、池、湖水）には、天然フミンと鉄鋼スラグの混合物をセメントで水和硬化したブロックや粒体を水域に水没すればよい。また、水田の入水口に天然フミンと鉄分を含むミネラル成分の混合物をセメントで水和硬化した固化物を設置することで、キレート化された各ミネラル水が水田に貯水され、その後河川に流れ海にたどりつく。畑では、この固化物をタンクに入れ水で満たして、イオン化したミネラル水溶液を葉面や耕作地に灌水することができる。
【００３７】（固化物）
本発明のブロック、粉体、粒体状の固化物の造りかたは、天然フミンの紛体、粒体と鉄（粉又は粒）、鉄鋼スラグ等と各種ミネラル成分を含む物質の粉体、粒体をリグニン硬化剤やセメント系硬化剤の混合物を型に流し込んだブロックや水和硬化した粒体や固めた塊を砕くか、粒体製造機で作りだすことができる。
【００３８】  本発明の水和硬化物は、天然フミンや鉄（粉又は粒）、鉄鋼スラグ等と各種ミネラル成分を含む物質のほかに肥料や微生物を混入することが出来る、また、肥料や各種ミネラルイオン成分と微生物が長期間にわたり供給し、肥料の無駄な流失を低減する。
【００３９】（菌床残渣）
菌床残渣は、人工栽培キノコの培地で、木材チップ、トウモロコシ、バカスにキノコの栄養分（米ぬか、ふすま等）をブレンドして、容器に詰めてキノコ菌種を植え付けて栽培する。容器に詰めた培地は一度かぎりで廃棄される。廃棄された菌床物には、栄養分や分解されないセルロース、リグニンが残り、この残渣を水分調整して、発酵菌を混合して発酵して乾燥させて再利用する。発酵乾燥した残渣は、堆肥、培養土、燃料に、また、畜産の敷き藁に利用した後、再度発酵させて、堆肥に使用ができる。
【００４０】（発酵菌）
本発明で使用する菌（商品名コンポリーゼなど）は、枯草菌、乳酸球菌、乳酸桿菌であり、これらの菌から生産された各種酵素は、病原菌細胞壁の分解、植物質繊維の分解、害虫卵の分解その他、タンパク質分解酵素、糖質分解酵素かあり害虫の低減と土壌を改善する。また、海底の熱水噴き出し口に棲息する甲殻類から採取された高温菌は９５℃前後の温度で発酵する。
【００４１】（発明の作用）
植物、海藻、海草、植物プランクトンは、動物と違い無機物のみを栄養として成長する。光合成に必要な炭酸ガスと水以外の成分は、主に根から吸収される各種ミネラル成分である。植物に必須であるとされているミネラル元素は１５種類以上あり、その必要量によって多量元素６種類、微量元素９種類以上に分けられる。植物の成長において必要な成分がバランス良くあることが理想である。多量６元素は、窒素，リン酸，カリ，カルシウム，マグネシウム，硫黄である、また、微量元素は、鉄，マンガン，ケイ素，亜鉛，銅、塩素，ホウ素、モリブデン、ニッケル等であり、以上のミネラルは、天然フミンに微量に含まれているが、長期にわたって放出するために、上記の多量元素６種類、微量９元素以上を含むミネラル成分を補強することになる。
【００４２】  現代の農法は、腐葉土や有機発酵肥料の使用減少や化学肥料の多肥で植物が必要とする１５種類以上のミネラル成分が不足や一部の肥料が過剰となっている。天然フミンと鉄分を含むミネラル成分を散布するとフルボ酸がミネラル成分をキレート化（錯体）、可溶化するためミネラル成分を植物が長期にわたり容易に摂取できる。
【００４３】  化学肥料に頼った耕作地は、天然フミンや１５種類以上のミネラル成分も少なく、また、微生物のバランスも崩れている。そのような耕作地は、化成肥料の多用で土壌が酸性化して、微生物バランスが崩れ植物の生育影響と土壌の不健全で、病害虫や線虫等が多く繁殖をしている。天然フミンと鉄分を含むミネラル成分と微生物と肥料を混合した固化物は、耕作地に散布した後、炭素と鉄分を含むミネラル成分で微電流が発生して、土壌病害虫の被害の低減が図れて、各種ミネラル成分を含む農産物の収穫が可能になる。
【００４４】  海域では、本発明の天然フミンと鉄分を含むミネラル成分と硬化剤の固化物を水中に設置するとフルボ酸鉄と多くのミネラルイオンの働きで、海草、海藻、植物プランクトンの繁殖と貝類の浄化作用で赤潮の発生を低減する。
【００４５】  本発明の天然フミンと鉄（粉又は粒）、鉄分を含む成分と無機肥料や微生物で種子をリグニン硬化剤で造粒コーティング種子は、種子が発芽時に成長に必要なミネラルや無機肥料が種子の周りあり健全な苗が育ち後の生育や収穫に良い結果をもたらす。
【００４６】（実施形態による効果）
天然フミンは、植物が必要とする多くのミネラルを含みミネラルをイオン化して吸収し健全に生育する。又、植物が長期に摂取が必要とする鉄分を含むミネラル成分を天然フミンとリグニン硬化体の固化物を陸域に散布する。リグニンは、腐植土として土壌に残る。また、海域に天然フミンと鉄粒、鉄鋼スラグの混合物をセメントで水和硬化した固化物を水域に設置して、フルボ酸鉄や各種ミネラルイオン成分を長期間にわたって放出させることができる。
【００４７】  陸域では、天然フミンと鉄分を含むミネラル成分の混合比率は、天然フミンが２０〜５０パーセント、鉄分を含むミネラル成分５０〜８０％に混合して、リグニン硬化剤で水和硬化した混合固化物は、１０アールの耕作地に４０〜８０ｋｇを散布して耕す。稲作、とまと、ピーマン、蓮等の栽培で良い結果が得られる。天然フミンに含まれるフルボ酸（有機酸）が、各ミネラルをキレート化しれ植物に吸収されやすき成り、また、水和硬化された本発明の固化物は、継続的に放出されミネラルの流出を低減できる。
水域では、天然フミンと鉄（粉又は粒）、鉄分を含むミネラル成分とセメント硬化剤の混合比率は、天然フミンを２０パーセント前後と鉄鋼スラグを骨材として７０パーセント前後を混合したブロックや固化物を使用する。大きい固化物は水域の水底に留まりフルボ酸鉄やキレート化したミネラルは、継続的に放出する。
【００４８】  天然フミンの紛体、粒体と鉄（粉又は粒）、鉄鋼スラグと各種ミネラル成分を含む物質の粉体、粒体をリグニン硬化剤に水を適量加え、熱圧成形した固化物を燃焼し、リグニン成分を炭化した多孔質な固化物に発酵菌（商品名コンポリナーゼなど）混合する。発酵菌は、固化物の隙間や多孔質内をコロニーとして生息する。前記固化物を養殖場、水槽に設置して、フルボ酸鉄や各種ミネラルイオン成分を長期間にわたって放出させる。また、発酵菌は、有機物を水と炭酸ガスに分解をして、水の浄化に役立つ。
【００４９】  きのこ菌床残渣に微生物（商品名コンポリーゼ）や高温発酵菌を混合し、菌床残渣が高温発酵した後、発酵乾燥した菌床残渣と天然フミンと鉄（粉又は粒）、鉄分を含むミネラル成分とリグニン硬化剤で水和硬化した固化物を培養土と混合し成形した栽培ブロックを作る、このブロックは、植物の栽培ができる。植物を植えたブロックは、直接耕作地や鉢に植え込むことができ、この栽培ブロックは、腐植土として土壌に還元する。
【００５０】  発酵しやすく水分調整をしたきのこ菌床残渣に高温発酵菌と、フミン酸と鉄（粉又は粒）、鉄分を含むミネラル成分を混合し高温菌発酵した後、発酵乾燥した菌床残渣は、家畜の糞尿の敷き藁材として使用できる。使用後は、菌床残渣、糞尿の混合物を再度水分調整して、再発酵した後、堆肥として土壌に還元ができる。この堆肥は、植物が必要とする各種ミネラルイオンや有機質肥料が含み、土壌に還元する。このように菌床残渣は、敷き藁材又は堆肥として、リサイクルの使用ができる。
【００５１】  天然フミン＋鉄粉、鉄鋼スラグ＋無機肥料＋微生物の混合物は、植物の初期生育に必要なミネラル成分や、無機肥料、有効な微生物が整っている。前記の混合物とリグニン硬化剤（腐植で低分子構造）で造粒コーティングした種子は、植物種子類の穀物類、花き類、野菜類、木樹類や海草種子類（アマモ・ウミヒルモ等）の種子を造粒コーティングすることができる。